(57)【要約】  同軸ケーブル付きＬ型同軸コネクタは、中心導体部および中心導体部の周囲に配置された外部導体部を有する同軸ケーブルと、同軸ケーブルの中心導体部に接続される内部端子と、同軸ケーブルの外部導体部に接続される外部端子と、内部端子と外部端子の間に配置される絶縁性部材と、を備える同軸ケーブル付きＬ型同軸コネクタであって、外部端子は、同軸ケーブルおよび絶縁性部材に沿うように延在してこれらを保持する保持部と、保持部から同軸ケーブルに向けてかしめられたかしめ係合部とを備え、かしめ係合部は、同軸ケーブルの中心導体部と内部端子が接続する部分の周囲で絶縁性部材に係合する第１の爪部と、同軸ケーブルの外部導体部に係合する第２の爪部とを有し、第１の爪部は、同軸ケーブルの軸方向において、同軸ケーブルの外部導体部に係合する位置まで延びるように形成されることにより、電気特性の劣化を抑制できる。
2018221354.tif 000002
【特許請求の範囲】
【請求項１】
中心導体部および前記中心導体部の周囲に配置された外部導体部を有する同軸ケーブルと、
前記同軸ケーブルの前記中心導体部に接続される内部端子と、
前記同軸ケーブルの前記外部導体部に接続される外部端子と、
前記内部端子と前記外部端子との間に配置される絶縁性部材と、を備える同軸ケーブル付きＬ型同軸コネクタであって、
前記外部端子は、前記同軸ケーブルおよび前記絶縁性部材に沿うように延在してこれらを保持する保持部と、前記保持部から前記同軸ケーブルに向けてかしめられたかしめ係合部とを備え、
前記かしめ係合部は、前記同軸ケーブルの前記中心導体部と前記内部端子が接続する部分の周囲で前記絶縁性部材に係合する第１の爪部と、前記同軸ケーブルの前記外部導体部に係合する第２の爪部とを有し、
前記第１の爪部は、前記同軸ケーブルの軸方向において、前記同軸ケーブルの前記外部導体部に係合する位置まで延びるように形成される、同軸ケーブル付きＬ型同軸コネクタ。
【請求項２】
前記第１の爪部が前記絶縁性部材に接触する箇所は、前記第１の爪部が前記外部導体部に接触する箇所よりも、前記保持部から近い距離に設定される、請求項１に記載の同軸ケーブル付きＬ型同軸コネクタ。
【請求項３】
中心導体部および前記中心導体部の周囲に配置された外部導体部を有する同軸ケーブルが接続されるＬ型同軸コネクタであって、
前記同軸ケーブルの前記中心導体部に接続される内部端子と、
前記同軸ケーブルの前記外部導体部に接続される外部端子と、
前記内部端子と前記外部端子との間に配置される絶縁性部材と、を備え、
前記外部端子は、前記同軸ケーブルおよび前記絶縁性部材に沿うように延在してこれらを保持する保持部と、前記保持部から前記同軸ケーブルに向けてかしめられたかしめ係合部とを備え、
前記かしめ係合部は、前記同軸ケーブルの前記中心導体部と前記内部端子が接続する部分の周囲で前記絶縁性部材に係合する第１の爪部と、前記同軸ケーブルの前記外部導体部に係合する第２の爪部とを有し、
前記第１の爪部は、前記同軸ケーブルの軸方向において、前記同軸ケーブルの前記外部導体部に係合する位置まで延びるように形成される、Ｌ型同軸コネクタ。
【請求項４】
前記第１の爪部が前記絶縁性部材に接触する箇所は、前記第１の爪部が前記外部導体部に接触する箇所よりも、前記保持部から近い距離に設定される、請求項３に記載のＬ型同軸コネクタ。
【発明の詳細な説明】
【技術分野】
【０００１】
本発明は、Ｌ型同軸コネクタおよび同軸ケーブル付きＬ型同軸コネクタに関する。
【背景技術】
【０００２】
従来より、同軸ケーブルが接続されるＬ型同軸コネクタ、および同軸ケーブル付きＬ型同軸コネクタが知られている（例えば、特許文献１参照）。【０００３】
特許文献１のＬ型同軸コネクタは、同軸ケーブルの中心導体部に接続される内部端子と、同軸ケーブルの外部導体部に接続される外部端子（ハウジング）と、内部端子と外部端子の間に配置される絶縁性部材（ブッシング）とを備える。当該同軸コネクタを相手方のコネクタに接続する際には、同軸コネクタの内部端子および外部端子を、対応する相手方コネクタのそれぞれの端子に嵌合させる。【０００４】
特許文献１の同軸コネクタにおいて、ハウジングである外部端子には、絶縁性部材および内部端子を固定するためのかしめ係合部を設けられる。かしめ係合部は、同軸ケーブルの周方向に折り曲げ可能な３対の爪部により構成されている。そのうちの１対の爪部が同軸ケーブルの外部導体部に接触して導通する。他の２対の爪部は絶縁部分に接触して保持するのみであり、同軸ケーブルには導通していない。
【先行技術文献】
【特許文献】
【０００５】
【特許文献１】特開２０１５−２１１０３７号公報
【発明の概要】
【発明が解決しようとする課題】
【０００６】
特許文献１の同軸コネクタでは、同軸ケーブルの軸方向において中心導体部を除く部分の周囲において、ハウジングである外部端子がグランド側電極として機能するが、同軸ケーブルの外部導体部に接触する爪部と、絶縁部分に接触する爪部との隙間が存在していた。この隙間の部分が電気的な切れ目となり、電磁界が乱されて、電気特性が劣化するおそれがあった。【０００７】
従って、本発明の目的は、前記問題を解決することにあって、電気特性の劣化を抑制することができるＬ型同軸コネクタおよび同軸ケーブル付きＬ型同軸コネクタを提供することにある。
【課題を解決するための手段】
【０００８】
前記目的を達成するために、本発明の同軸ケーブル付きＬ型同軸コネクタは、中心導体部および前記中心導体部の周囲に配置された外部導体部を有する同軸ケーブルと、前記同軸ケーブルの前記中心導体部に接続される内部端子と、前記同軸ケーブルの前記外部導体部に接続される外部端子と、前記内部端子と前記外部端子の間に配置される絶縁性部材と、を備える同軸ケーブル付きＬ型同軸コネクタであって、前記外部端子は、前記同軸ケーブルおよび前記絶縁性部材に沿うように延在してこれらを保持する保持部と、前記保持部から前記同軸ケーブルに向けてかしめられたかしめ係合部とを備え、前記かしめ係合部は、前記同軸ケーブルの前記中心導体部と前記内部端子が接続する部分の周囲で前記絶縁性部材に係合する第１の爪部と、前記同軸ケーブルの前記外部導体部に係合する第２の爪部とを有し、前記第１の爪部は、前記同軸ケーブルの軸方向において、前記同軸ケーブルの前記外部導体部に係合する位置まで延びるように形成される。【０００９】
また本発明のＬ型同軸コネクタは、中心導体部および前記中心導体部の周囲に配置された外部導体部を有する同軸ケーブルが接続されるＬ型同軸コネクタであって、前記同軸ケーブルの前記中心導体部に接続される内部端子と、前記同軸ケーブルの前記外部導体部に接続される外部端子と、前記内部端子と前記外部端子との間に配置される絶縁性部材と、を備え、前記外部端子は、前記同軸ケーブルおよび前記絶縁性部材に沿うように延在してこれらを保持する保持部と、前記保持部から前記同軸ケーブルに向けてかしめられたかしめ係合部とを備え、前記かしめ係合部は、前記同軸ケーブルの前記中心導体部と前記内部端子が接続する部分の周囲で前記絶縁性部材に係合する第１の爪部と、前記同軸ケーブルの前記外部導体部に係合する第２の爪部とを有し、前記第１の爪部は、前記同軸ケーブルの軸方向において、前記同軸ケーブルの前記外部導体部に係合する位置まで延びるように形成される。
【発明の効果】
【００１０】
本発明のＬ型同軸コネクタおよび同軸ケーブル付きＬ型同軸コネクタによれば、電気特性の劣化を抑制することができる。
【図面の簡単な説明】
【００１１】
【図１】実施の形態のプラグケーブルの斜視図
【図２】実施の形態のプラグケーブルに接続される相手方コネクタの斜視図
【図３】実施の形態のプラグケーブルの平面図
【図４】実施の形態のプラグケーブルの背面図
【図５】実施の形態のプラグケーブルの分解斜視図
【図６】実施の形態のプラグケーブルの完成前の状態を示す斜視図
【図７】図６の平面図
【図８】図７のＸ−Ｘ断面図
【図９Ａ】実施の形態のプラグケーブルに用いられる内部端子の斜視図
【図９Ｂ】実施の形態のプラグケーブルに用いられる内部端子の平面図
【図９Ｃ】実施の形態のプラグケーブルに用いられる内部端子の縦断面図
【発明を実施するための形態】
【００１２】
本発明の第１態様によれば、中心導体部および前記中心導体部の周囲に配置された外部導体部を有する同軸ケーブルと、前記同軸ケーブルの前記中心導体部に接続される内部端子と、前記同軸ケーブルの前記外部導体部に接続される外部端子と、前記内部端子と前記外部端子の間に配置される絶縁性部材と、を備える同軸ケーブル付きＬ型同軸コネクタであって、前記外部端子は、前記同軸ケーブルの軸方向に交差する方向に筒状に延びる筒状部と、前記筒状部から前記同軸ケーブルおよび前記絶縁性部材に沿うように延在してこれらを保持する保持部と、前記保持部から前記同軸ケーブルに向けてかしめられたかしめ係合部とを備え、前記かしめ係合部は、前記同軸ケーブルの前記中心導体部と前記内部端子が接続する部分の周囲で前記絶縁性部材に係合する第１の爪部と、前記同軸ケーブルの前記外部導体部に係合する第２の爪部とを有し、前記第１の爪部は、前記同軸ケーブルの軸方向において、前記同軸ケーブルの前記外部導体部に係合する位置まで延びるように形成される、同軸ケーブル付きＬ型同軸コネクタを提供する。
【００１３】
このような構成によれば、第１の爪部が外部導体部と導通しない場合に比べて、同軸ケーブルの軸方向における電気的な切れ目が生じないようにすることができ、電気特性の劣化を抑制することができる。
【００１４】
本発明の第２態様によれば、前記第１の爪部が前記絶縁性部材に接触する箇所は、前記第１の爪部が前記外部導体部に接触する箇所よりも、前記保持部から近い距離に設定される、第１態様に記載の同軸ケーブル付きＬ型同軸コネクタを提供する。このような構成によれば、絶縁性部材に接触する第１の爪部を同軸ケーブルの軸方向に伸ばして外部導体部に接触させることができ、第１の爪部を外部導体部に押し付けるように接触させることができる。これにより、簡易な構成を用いながら第１の爪部と外部導体部との接触を確実に確保することができる。
【００１５】
本発明の第３態様によれば、中心導体部および前記中心導体部の周囲に配置された外部導体部を有する同軸ケーブルが接続されるＬ型同軸コネクタであって、前記同軸ケーブルの前記中心導体部に接続される内部端子と、前記同軸ケーブルの前記外部導体部に接続される外部端子と、前記内部端子と前記外部端子との間に配置される絶縁性部材と、を備え、前記外部端子は、前記同軸ケーブルおよび前記絶縁性部材に沿うように延在してこれらを保持する保持部と、前記保持部から前記同軸ケーブルに向けてかしめられたかしめ係合部とを備え、前記かしめ係合部は、前記同軸ケーブルの前記中心導体部と前記内部端子が接続する部分の周囲で前記絶縁性部材に係合する第１の爪部と、前記同軸ケーブルの前記外部導体部に係合する第２の爪部とを有し、前記第１の爪部は、前記同軸ケーブルの軸方向において、前記同軸ケーブルの前記外部導体部に係合する位置まで延びるように形成される、Ｌ型同軸コネクタを提供する。
【００１６】
このような構成によれば、第１の爪部が外部導体部と導通しない場合に比べて、同軸ケーブルの軸方向における電気的な切れ目が生じないようにすることができ、電気特性の劣化を抑制することができる。
【００１７】
本発明の第４態様によれば、前記第１の爪部が前記絶縁性部材に接触する箇所は、前記第１の爪部が前記外部導体部に接触する箇所よりも、前記保持部から近い距離に設定される、第３態様に記載のＬ型同軸コネクタを提供する。このような構成によれば、絶縁性部材に接触する第１の爪部を同軸ケーブルの軸方向に伸ばして外部導体部に接触させることができ、第１の爪部を外部導体部に押し付けるように接触させることができる。これにより、簡易な構成を用いながら第１の爪部と外部導体部との接触を確実に確保することができる。
【００１８】
以下に、本発明にかかる実施の形態を図面に基づいて詳細に説明する。
【００１９】
（実施の形態）
【００２０】
図１は、実施の形態の同軸ケーブル付きＬ型同軸コネクタ（以下、プラグケーブルと称する。）２を示す斜視図である。
【００２１】
図１に示すプラグケーブル２は、同軸ケーブル４と、同軸ケーブル４が接続されるＬ型同軸コネクタ（第１のコネクタ）６とを備える。プラグケーブル２を使用する際には、Ｌ型同軸コネクタ６を図２に示す相手方コネクタ（第２のコネクタ）８に嵌合させる。
【００２２】
本実施の形態では、図２に示す相手方コネクタ８は、内部端子（センターソケット）９と、外部端子１１と、内部端子９と外部端子１１の間に配置される絶縁性部材（樹脂モールドケース）１３とを備える。
【００２３】
図１に示すＬ型同軸コネクタ６が同軸ケーブル４に接続されるのに対して、図２に示す相手方コネクタ８は、外部端子１１の裏面に基板（図示せず）が実装される。すなわち、本実施の形態のプラグケーブル２および相手方コネクタ８の組合せは、「基板」と「基板」を接続するいわゆる「ボードトゥボード」とは異なり、「同軸ケーブル」と「基板」を接続する接続形態である。
【００２４】
図２に示す内部端子９は、オス形状の端子を受け入れるメス形状を有する。これより、相手方コネクタ８は、図１に示すプラグケーブル２に対するプラグレセプタクルとなる。なお、オス形状は外周部に接触表面を有し、メス形状は内周部に接触表面を有する。
【００２５】
次に、図１、図３−図８を用いて、プラグケーブル２の各構成要素について説明する。図３は、プラグケーブル２の平面図であり、図４は、プラグケーブル２の背面図であり、図５は、プラグケーブル２の分解斜視図である。図６は、図５に示す各構成要素がプラグケーブル２内に配置された後、かつ、固定される前の状態を示す斜視図であり、図７は、図６の平面図であり、図８は、図７のＸ−Ｘ断面図である。
【００２６】
同軸ケーブル４は、図５などに示すように、中心導体部（芯線）１０と、絶縁体１２と、外部導体部１４と、絶縁被膜（外皮）１６とを備える。同軸ケーブル４の軸方向Ａにおいて、同軸ケーブル４の先端側から順に、中心導体部１０、絶縁体１２、外部導体部１４、絶縁被膜１６が露出している。
【００２７】
中心導体部１０には、後述するＬ型同軸コネクタ６の内部端子１８が接続され、外部導体部１４には、後述するＬ型同軸コネクタ６の外部端子２２が接続される。
【００２８】
同軸ケーブル４が接続されるＬ型同軸コネクタ６は、内部端子（センターピン）１８と、絶縁性部材（ブッシング）２０と、外部端子（ハウジング）２２とを備える。
【００２９】
内部端子１８は、前述したように同軸ケーブル４の中心導体部１０に接続される端子である。同様に、外部端子２２は、同軸ケーブル４の外部導体部１４に接続される端子である。内部端子１８と外部端子２２は絶縁性部材２０によって互いに電気的に絶縁されている。
【００３０】
本実施の形態における内部端子１８は１枚の金属板により作製されている。同様に、外部端子２２も１枚の金属板により作製されている。内部端子１８および外部端子２２は導電性を有する部材で構成され、本実施の形態では、銅合金素材の表面にニッケルと金のめっきを施して形成されている。
【００３１】
絶縁性部材２０は、内部端子１８と外部端子２２の間に配置され、内部端子１８と外部端子２２を互いに電気的に絶縁する部材である。絶縁性部材２０は例えば、液晶ポリマーなどの樹脂を主材料として形成される。
【００３２】
図５などに示すように、内部端子１８は、第１端子部２４と、第２端子部２６とを備える。
【００３３】
第１端子部２４は、前述した相手方コネクタ８の内部端子９に挿入される端子部分である。本実施の形態の第１端子部は、外周部に接触表面を有するオス型として構成される。内部端子１８をオス型（ピン型）とすることで、相手方コネクタ８の内部端子９のようなメス型（ソケット型）とする場合に比べて小型化することができる。
【００３４】
本実施の形態における第１端子部２４は、同軸ケーブル４の軸方向Ａに直交する方向である挿入方向Ｂに延びる大略円筒状の部材として構成される。
【００３５】
本実施の形態では、第１端子部２４に挿入穴２８が設けられている。挿入穴２８は、後述する絶縁性部材２０の突出部４６を挿入するための穴である。挿入穴２８に突出部４６を挿入することにより、第１端子部２４の小型化に伴う強度低下を抑制し、第１端子部２４の強度を補強することができる。第１端子部２４のより詳細な形状については後述する。
【００３６】
第２端子部２６は、第１端子部２４から横方向に延びる板状の端子部分である。第２端子部２６は、図６、図７に示す組立後の状態において、同軸ケーブル４の中心導体部１０に接続される。本実施の形態における第２端子部２６は、挿入方向Ｂに対して垂直な平板状の部材である。
【００３７】
第２端子部２６の先端には、二股に分かれた二股部３０が設けられている。二股部３０は、図６、図７に示す組立後の状態において、同軸ケーブル４の中心導体部１０を幅方向Ｃに挟むように配置される。幅方向Ｃは、軸方向Ａと挿入方向Ｂの両方に垂直な方向である。二股部３０と中心導体部１０は、はんだ付けによって互いに固定される。
【００３８】
次に、絶縁性部材２０は、図５などに示すように、土台部４４と、突出部４６と、先端部４８とを備える。
【００３９】
土台部４４は、絶縁性部材２０の土台となる部材である。土台部４４は、ハウジングである外部端子２２の中に収容される。土台部４４には、突出部４６および先端部４８が形成されている。
【００４０】
突出部４６は、土台部４４から挿入方向Ｂに突出する部材である。突出部４６は前述したように、内部端子１８の第１端子部２４の挿入穴２８に挿入することにより、第１端子部２４の強度を補強する機能を有する。
【００４１】
先端部４８は、軸方向Ａにおける土台部４４の先端に設けられた部材である。本実施の形態では、幅方向Ｃに間隔を空けて設けられた一対の部材として先端部４８が設けられている。
【００４２】
先端部４８は、図６、図７に示す組立後の状態において、同軸ケーブル４の絶縁体１２に接触して同軸ケーブル４を保持・固定する機能を有する。このように、先端部４８は、同軸ケーブル４と内部端子１８の接続箇所、すなわち、同軸ケーブル４の中心導体部１０と内部端子１８の二股部３０の接続箇所を保持する機能を有する。
【００４３】
次に、外部端子２２は、図５などに示すように、筒状部３２と、保持部３４と、固定部３５と、かしめ係合部３６（図１）とを備える。
【００４４】
筒状部３２は、前述した相手方コネクタ８の外部端子１１に嵌合する筒状の部材である。本実施の形態における筒状部３２は、挿入方向Ｂに延びる円筒状（大略円筒状）の形状を有する。図６、図７に示す組立後の状態において、筒状部３２の内側には、内部端子１８の第１端子部２４が配置される。
【００４５】
外部端子２２の筒状部３２を円筒状とし、内部端子１８の第１端子部２４も円筒状とすることで、挿入方向Ｂに垂直な径方向において互いに一定の距離を保ち、局所的に狭くならない。これにより、筒状部３２と第１端子部２４の容量増加による特性インピーダンスの低下を防ぎ、結果として反射特性の悪化を防ぐことができる。
【００４６】
保持部３４は、筒状部３２から横方向に延びる板状の部材である。保持部３４は、図６、図７に示す組立後の状態において、絶縁性部材２０および同軸ケーブル４に沿うように配置され、絶縁性部材２０および同軸ケーブル４を保持する。保持部３４には、筒状部３２、固定部３５およびかしめ係合部３６（図１参照）が形成されている。
【００４７】
固定部３５は、保持部３４から挿入方向Ｂに突出するように設けられた板状の部材である。固定部３５は、図６、図７に示す組立後の状態において、絶縁性部材２０の先端部４８を幅方向Ｃに挟むように配置される。このように配置される固定部３５は、先端部４８および先端部４８の内側に配置された同軸ケーブル４を固定する機能を有する。
【００４８】
かしめ係合部３６は、同軸ケーブル４および絶縁性部材２０に向けてかしめられる部材である。かしめ係合部３６をかしめることにより、同軸ケーブル４および絶縁性部材２０が一体的に固定される。
【００４９】
本実施の形態におけるかしめ係合部３６は、保持部３４から同軸ケーブル４に向けて同軸ケーブル４の周方向Ｄに折り曲げられる複数の爪部により構成されている。具体的には、第１の爪部３８、第２の爪部４０および第３の爪部４２が設けられる。図５などに示すように、第１の爪部３８、第２の爪部４０および第３の爪部４２のそれぞれは、幅方向Ｃに間隔を空けて設けられた一対の板状部材により構成されている。
【００５０】
爪部のそれぞれの機能について、図６、図７を用いて説明する。
【００５１】
図６、図７に示すように、第１の爪部３８は、同軸ケーブル４の絶縁体１２の周囲に位置する絶縁性部材２０の先端部４８に接触するようにかしめられる。先端部４８に接触する第１の爪部３８は、同軸ケーブル４の中心導体部１０と内部端子１８の二股部３０の接続箇所を保持・固定する機能を有する。
【００５２】
第２の爪部４０は、外部導体部１４に接触するようにかしめられる。外部導体部１４に接触する第２の爪部４０は、外部端子２２を同軸ケーブル４に電気的に接続する機能を有する。
【００５３】
第３の爪部４２は、同軸ケーブル４の絶縁被膜１６に接触するようにかしめられる。絶縁被膜１６に接触する第３の爪部４２は、同軸ケーブル４を保持・固定する機能を有する。
【００５４】
これらの第１の爪部３８、第２の爪部４０および第３の爪部４２をかしめることにより、図１に示すプラグケーブル２が製造される。図１に示すプラグケーブル２において、内部端子１８は同軸ケーブル４の中心導体部１０に接続され、外部端子２２は、同軸ケーブル４の外部導体部１４に接続された状態で、保持・固定されている。図１に示すプラグケーブル２のＬ型同軸コネクタ６を相手方コネクタ８に嵌合させることにより、Ｌ型同軸コネクタ６に接続されている同軸ケーブル４と、相手方コネクタ８が実装されている基板とを電気的に接続し、高周波信号の伝送を行うことができる。
【００５５】
このような構成において、図７、図８の点線Ｅで示すように、第１の爪部３８は、同軸ケーブル４の軸方向Ａにおいて外部導体部１４に接触する位置まで延びている。点線Ｅは、軸方向Ａにおける第１の爪部３８の先端の位置を表す。第１の爪部３８を外部導体部１４に接触させることで、第２の爪部４０だけでなく第１の爪部３８も外部導体部１４に導通する。このように、第１の爪部３８は、先端部４８に接触して中心導体部１０と内部端子１８の二股部３０の接続部分を保持・固定するという機能に加えて、外部導体部１４と導通するという別の機能を兼ねている。
【００５６】
上記構成に対して、かしめ係合部３６における第２の爪部４０のみが外部導体部１４に接触して、第１の爪部３８は外部導体部１４に接触しない構成が考えられる。このような構成の場合、図１に示す完成後のプラグケーブル２において、外部導体部１４に導通する第２の爪部４０と、外部導体部１４に導通しない第１の爪部３８との間で電気的な切れ目が生じ、電磁界が乱される場合がある。結果として、プラグケーブル２の電気特性が悪化する場合がある。
【００５７】
本実施の形態のプラグケーブル２では、第２の爪部４０だけでなく第１の爪部３８も外部導体部１４に接触して導通している。このため、外部端子２２において軸方向Ａの電気的な切れ目が生じないようにすることができる。図１に示すように、第１の爪部３８と第２の爪部４０の間には間隔が空いているが、この間には外部導体部１４が配置されているため、電気的な切れ目は生じない。このような構成により、プラグケーブル２の電気特性を向上させることができ、高周波信号を安定的に伝送することができる。
【００５８】
本実施の形態ではさらに、図８に示すように、第１の爪部３８が絶縁性部材２０の先端部４８に接触する箇所は、第１の爪部３８が外部導体部１４に接触する箇所よりも、外部端子２２の保持部３４から近い距離に設定されている。具体的には、絶縁性部材２０の先端部４８の高さ位置Ｈ１を、外部導体部１４の高さ位置Ｈ２よりも低くしている。これにより、第１の爪部３８が絶縁性部材２０の先端部４８に接触する箇所から保持部３４までの距離Ｌ１を、第１の爪部３８が外部導体部１４に接触する箇所から保持部３４までの距離Ｌ２よりも短くしている。このような配置によれば、先端部４８に接触する第１の爪部３８を軸方向Ａに伸ばして外部導体部１４に接触させるようにすれば、第１の爪部３８を外部導体部１４に押し付けるように接触させることができる。これにより、簡易な構成を用いながら第１の爪部３８と外部導体部１４との接触を確実に確保することができる。
【００５９】
上述した構成のプラグケーブル２において、図８にも示すように、内部端子１８の第１端子部２４の中に絶縁性部材２０の突出部４６を挿入している。これにより、内部端子１８を内側から補強しており、内部端子１８の強度を向上させている。
【００６０】
本実施の形態では、前述したように内部端子１８に第１端子部２４を設け、相手方コネクタ８の内部端子９に挿入するオス型としている。これにより、メス型のようにバネ性を確保する必要がなく、内部端子１８を小さくすることができる。さらに内部端子１８を小さくしても、第１端子部２４の挿入穴２８に絶縁性部材２０の突出部４６を差し込んで係合させているため、内部端子１８の強度を補強している。これにより、内部端子１８の小型化に伴う強度低下を抑制することができる。このようにして、内部端子１８の全体的な形状を小さくすることで、内部端子１８の周囲に配置された外部端子２２との容量結合を抑制して電気特性の劣化を抑制しつつ、同時に、プラグケーブル２の小型化、特に低背化を図ることができる。
【００６１】
次に、図９Ａ―９Ｃを用いて、内部端子１８の詳細な構成について説明する。図９Ａは、内部端子１８の斜視図であり、図９Ｂは、内部端子１８の平面図であり、図９Ｃは、内部端子１８の縦断面図である（図７のＸ−Ｘ断面に対応）。
【００６２】
図９Ａ、９Ｃに示すように、本実施の形態の第１端子部２４は、先端が丸まった丸目の筒状に形成されている。具体的には、第１端子部２４は、円筒部５０と、凸部５２とを備える。
【００６３】
円筒部５０は、円筒状の部材であって、一方側は第２端子部２６につながり、他方側は凸部５２につながっている。凸部５２は、円筒部５０から挿入方向Ｂに突出した部材である。凸部５２は、挿入方向Ｂにおける第１端子部２４の先端部を構成する。
【００６４】
本実施の形態における凸部５２は、曲線状の表面５２ａを形成している。表面５２ａは、円筒部５０の外周面から連続的に続く面であり、第１端子部２４の中心側に向かって滑らかに湾曲している。このような表面５２ａを形成することにより、第１端子部２４の先端部が角ばった形状ではなく、丸まった形状となる。このように円筒部５０だけでなく凸部５２も丸まった形状とすることで、角ばった形状とする場合よりも、周囲に設けられた外部端子２２との容量結合を抑制することができ、プラグケーブル２の電気特性の劣化を抑制することができる。
【００６５】
さらに本実施の形態では、挿入穴２８は、円筒部５０および凸部５２の両方を挿入方向Ｂに貫通する貫通穴として形成されている。挿入穴２８を貫通穴とすることで、第１端子部２４の挿入方向Ｂにおける両端に２つの開口部２８Ａ、２８Ｂが形成される（図９Ｃ）。円筒部５０に第１の開口部２８Ａが形成され、凸部５２に第２の開口部２８Ｂが形成される。第１の開口部２８Ａは、第１端子部２４の基端部５１に形成され、第２の開口部２８Ｂは、第１端子部２４の先端部（凸部５２）に形成される。
【００６６】
図９Ｃでは、第１の開口部２８Ａと第２の開口部２８Ｂが同じ直径であるように図示されているが、図９Ｃは概略図であり、同じ直径とは限らない。例えば、図８に示すように、第１の開口部２８Ａの直径が第２の開口部２８Ｂの直径よりも大きい場合であってもよい。
【００６７】
第１の開口部２８Ａは、前述した絶縁性部材２０の突出部４６を挿入するための挿入口である。一方、第２の開口部２８Ｂは、挿入される絶縁性部材２０の突出部４６の長さが長く設定される場合でも、突出部４６が第１端子部２４の先端部に干渉しないようにするための穴である。このように、挿入穴２８を貫通穴として形成することで、絶縁性部材２０の突出部４６の長さを長くとることができ、第１端子部２４の強度をより補強することができる。
【００６８】
さらに本実施の形態では、第１端子部２４の挿入穴２８の中に絶縁性部材２０の突出部４６の全体が収容されるように構成されている。具体的には、突出部４６の先端が、挿入方向Ｂにおいて第１端子部２４の凸部５２の先端（先端部）と同じ位置まで延びている（図８参照）。このように、突出部４６を内部端子１８の第１端子部２４内で挿入方向Ｂの略全長に配置することで、突出部４６を挿入穴２８から突出させないようにして他の部材との干渉を防止しながら、第１端子部２４の強度を最大限に補強することがでる。
【００６９】
次に、第２端子部２６の先端に設けた二股部３０について説明する。
【００７０】
本実施の形態では、第２端子部２６に二股部３０を形成し、前述した同軸ケーブル４の中心導体部１０を挟むように構成している。このような二股部３０を用いて中心導体部１０と接続することで、簡易な構成により中心導体部１０と接続することができる。また、二股部３０は中心導体部１０と同様に軸方向Ａに延びた部分であり、上下方向（挿入方向Ｂ）の凹凸を有しない。このような構成によれば、二股部３０が軸方向Ａではなく上下方向に二股に分かれて中心導体部１０と接触する場合に比べて、接触面積を大きく確保できる。また上下方向の凹凸を有しないことで、外部端子２２との容量結合も抑制することができる。
【００７１】
さらに本実施の形態では、二股部３０の第１の延在部３０Ａおよび第２の延在部３０Ｂにおいて、それぞれの幅を同じで一定とし、かつ、それぞれの厚みも同じで一定としている。
【００７２】
具体的には、図９Ｂに示すように、第１の延在部３０Ａおよび第２の延在部３０Ｂのそれぞれの幅は長さＤ１で同じであり、かつ、軸方向Ａにおいても一定である。同様に、図９Ｃに示すように、第１の延在部３０Ａおよび第２の延在部３０Ｂのそれぞれの厚みは長さＤ２で同じであり、かつ、軸方向Ａにおいても一定である。
【００７３】
このような構成によれば、第１の延在部３０Ａおよび第２の延在部３０Ｂの幅や厚みが異なる場合や一定でない場合に比べて、外部端子２２との容量結合を抑制することができ、プラグケーブル２の電気特性の劣化を抑制することができる。
【００７４】
以上、上述の実施の形態を挙げて本発明を説明したが、本発明は上述の実施の形態に限定されない。例えば、実施の形態では、外部端子２２が円筒状の筒状部３２を有し、かつ、筒状部３２の中に配置される内部端子１８の第１端子部２４が円筒部５０を有する場合について説明したが、このような場合に限らない。筒状部３２および円筒部５０の断面は円形状に限らず任意の形状であってもよい。すなわち、いずれも筒状であればよい。なお、いずれも円筒状とした方が、互いの電気的な容量結合を抑制することができる。
【００７５】
本明細書における「円筒状」とは、完全な円筒形状だけでなく、円筒形状に凹凸や切欠き、突出部などが加わったものまで含むものとする（概ね円筒状、略円筒状、大略円筒状など）。
【００７６】
また実施の形態では、内部端子１８の第１端子部２４および外部端子２２の筒状部３２が延びる方向（挿入方向Ｂ）が、同軸ケーブル４の軸方向Ａに直交する場合について説明したが、このような場合に限らず、直交しない場合であってもよい。すなわち、第１端子部２４および筒状部３２は、同軸ケーブル４の軸方向Ａに交差する方向に延びていればよい。
【００７７】
また実施の形態では、第１端子部２４に設けられる挿入穴２８が貫通穴である場合について説明したが、このような場合に限らず、一方側の第１の開口部２８Ａのみが開いていればよく、もう一方側の第２の開口部２８Ｂは塞がっていてもよい。すなわち、少なくとも絶縁性部材２０の突出部４６を挿入可能であればよい。さらに言い換えれば、挿入方向Ｂの先端に位置する先端部とは逆側の基端部５１に挿入穴２８を有していればよい。なお、挿入穴２８を貫通穴とした方が、挿入される突出部４６の長さを長くとることができ、第１端子部２４の強度をより確保することができる。
【００７８】
また実施の形態では、絶縁性部材２０の突出部４６が第１端子部２４の先端部（凸部５２）と同じ位置まで延びる場合について説明したが、このような場合に限らず、第１端子部２４からさらに突出する、あるいは、第１端子部２４の中に完全に収容される場合であってもよい。なお、突出部４６を第１端子部２４からさらに突出させずに第１端子部２４の中に収容した方が、他の部材との干渉を防ぐことができる。
【００７９】
また実施の形態では、第２端子部２６の先端に二股部３０を設け、同軸ケーブル４の中心導体部１０と軸方向Ａに接触させる場合について説明したが、このような場合に限らず、二股部３０とは異なる構成により接触させてもよい。なお、中心導体部１０と軸方向Ａに係合する二股部３０を設けた方が、中心導体部１０との接触面積を確保することができ、良好な電気特性を得ることができる。
【００８０】
また実施の形態では、二股部３０における第１の延在部３０Ａと第２の延在部３０Ｂのそれぞれの幅は同じで一定であり（Ｄ１）、それぞれの厚みも同じで一定である（Ｄ２）場合について説明したが、このような場合に限らず、同じで一定でなくてもよい。なお、幅を同じで一定とし、また厚みも同じで一定とした方が、良好な電気特性を得ることができる。
【００８１】
また実施の形態では、第１の爪部３８が絶縁性部材２０の先端部４８に接触する箇所は、第１の爪部３８が外部導体部１４に接触する箇所よりも、保持部３４から近い距離に設定される場合について説明したが、このような場合に限らず、逆の関係であってもよい。なお、第１の爪部３８が絶縁性部材２０の先端部４８に接触する箇所を、第１の爪部３８が外部導体部１４に接触する箇所よりも保持部３４から近い距離あるいは同じ距離に設定した方が、簡易な構成により第１の爪部３８と外部導体部１４との接触を確保できる。
【００８２】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【００８３】
なお、前記様々な実施の形態および変形例のうちの任意の実施の形態あるいは変形例を適宜組み合わせることにより、それぞれの有する効果を奏するようにすることができる。
【産業上の利用可能性】
【００８４】
本発明は、同軸ケーブル付きＬ型同軸コネクタであれば適用可能である。
【符号の説明】
【００８５】
２  プラグケーブル（同軸ケーブル付きＬ型同軸コネクタ）
４  同軸ケーブル
６  Ｌ型同軸コネクタ
８  相手方コネクタ
９  内部端子（センターソケット）
１０  中心導体部（芯線）
１１  外部端子
１２  絶縁体
１３  絶縁性部材（樹脂モールドケース）
１４  外部導体部
１６  絶縁被膜（外皮）
１８  内部端子（センターピン）
２０  絶縁性部材（ブッシング）
２２  外部端子（ハウジング）
２４  第１端子部
２６  第２端子部
２８  挿入穴
２８Ａ  第１の開口部
２８Ｂ  第２の開口部
３０  二股部
３２  筒状部
３４  保持部
３５  固定部
３６  かしめ係合部
３８  第１の爪部
４０  第２の爪部
４２  第３の爪部
４４  土台部
４６  突出部
４８  先端部
５０  円筒部
５１  基端部
５２  凸部（先端部）
【図１】
2018221354.tif 000003
【図２】
2018221354.tif 000004
【図３】
2018221354.tif 000005
【図４】
2018221354.tif 000006
【図５】
2018221354.tif 000007
【図６】
2018221354.tif 000008
【図７】
2018221354.tif 000009
【図８】
2018221354.tif 000010
【図９Ａ】
2018221354.tif 000011
【図９Ｂ】
2018221354.tif 000012
【図９Ｃ】
2018221354.tif 000013
【国際調査報告】
2018221354.tif 000014
2018221354.tif 000015
2018221354.tif 000016